(57)【要約】【課題】車載装置が有する表示部の表示特性に基づいて、表示部に表示する表示情報を生成可能な携帯電子装置を提供する。【解決手段】携帯電子装置１０は、車載装置２０が有する表示部２３の表示特性を示す表示特性情報を取得する表示部情報取得部１１ａと、表示特性情報に基づいて、図形要素が表示部２３に表示される表示形態を決定する表示形態決定部１１ｂと、表示形態に基づいて、図形要素を表示部２３に表示させる表示情報を生成する表示情報生成部１１ｃと、表示情報を、車載装置２０に出力する表示情報出力部１１ｄと、を備える。【選択図】図２
2017207715.tif 000002
【特許請求の範囲】
【請求項１】
車載装置が有する表示部の表示特性を示す表示特性情報を取得する表示部情報取得部と、
前記表示特性情報に基づいて、図形要素が前記表示部に表示される表示形態を決定する表示形態決定部と、
前記表示形態に基づいて、前記図形要素を前記表示部に表示させる表示情報を生成する表示情報生成部と、
前記表示情報を、車載装置に出力する表示情報出力部と、
を備える携帯電子装置。
【請求項２】
前記表示形態決定部は、複数の候補表示形態のうちから一の候補表示形態を選択することで、前記表示形態を決定する請求項１に記載の携帯電子装置。
【請求項３】
前記表示形態は、前記図形要素が前記表示部に表示される位置、又は前記図形要素が前記表示部に表示される形状、又は前記図形要素が前記表示部に表示される縦横比、又は前記図形要素が前記表示部に表示される寸法を含む請求項１又は２に記載の携帯電子装置。
【請求項４】
前記図形要素は、ユーザにより操作されるボタンである請求項１〜３の何れか一項に記載の携帯電子装置。
【請求項５】
前記表示部情報取得部は、前記車載装置を識別する装置識別情報を、前記表示特性情報と共に取得し、
前記表示形態決定部は、前記表示特性情報及び前記装置識別情報に基づいて、前記表示形態を決定する請求項１〜４の何れか一項に記載の携帯電子装置。
【請求項６】
前記表示部情報取得部は、前記車載装置が搭載される車両を識別する車両識別情報を、前記表示特性情報と共に取得し、
前記表示形態決定部は、前記表示特性情報及び前記車両識別情報に基づいて、前記表示形態を決定する請求項１〜４の何れか一項に記載の携帯電子装置。
【請求項７】
前記表示特性情報は、前記表示部の縦方向の画素数と横方向の画素数を示す画素数情報、又は、前記表示部の縦方向の画素数と横方向の画素数との比率を示す縦横比情報、又は、前記表示部が表示可能な色の数を示す色数情報を含む請求項１〜６の何れか一項に記載の携帯電子装置。
【請求項８】
車載装置が有する表示部の表示特性を示す表示特性情報を取得し、
前記表示特性情報に基づいて、図形要素が前記表示部に表示される表示形態を決定し、
前記表示形態に基づいて、前記図形要素を前記表示部に表示させる表示情報を生成し、
前記表示情報を、車載装置に出力する、
ことをコンピュータに実行させるプログラム。
【請求項９】
車載装置が有する表示部の表示特性を示す表示特性情報を取得し、
前記表示特性情報に基づいて、図形要素が前記表示部に表示される表示形態を決定し、
前記表示形態に基づいて、前記図形要素を前記表示部に表示させる表示情報を生成し、
前記表示情報を、車載装置に出力する、ことを含む方法。
【発明の詳細な説明】
【技術分野】
【０００１】
本発明は、車載装置が有する表示部に表示情報を出力する技術に関する。
【背景技術】
【０００２】
従来、表示部を有する車載装置が車両に搭載されて用いられている。
【０００３】
車載装置として、画像又は音楽を再生する機能を有する装置が知られている。車載装置は、例えば、表示部の画像をユーザが視認し易いように車室内前方のダッシュボード等に固定して車両に搭載される。
【０００４】
また、車両内に持ち込み可能な携帯電子装置が知られている。携帯電子装置は、制御部と、記憶部と、通信部等を有しており、記憶部に記憶された所定のプログラムを実行することにより、各種の動作を実行可能な装置である。例えば、ナビゲーション機能を有する携帯電子装置が知られている。
【０００５】
特許文献１は、携帯電子装置を、車載装置と通信可能に接続して、携帯電子装置が出力する画像データを、車載装置の表示部に表示して使用することを提案している。特許文献１は、ナビゲーション機能を有する携帯電子装置を車載装置と通信可能に接続して、ナビゲーション画像を車載装置の表示部に表示する技術を開示している。
【０００６】
このように携帯電子装置を、表示部を有する車載装置に接続して、携帯電子装置が有する様々なアプリケーションを利用することが考えられる。
【先行技術文献】
【特許文献】
【０００７】
【特許文献１】国際公開第２０１４／０５０４５９号
【発明の概要】
【発明が解決しようとする課題】
【０００８】
携帯電子装置を車載装置と通信可能に接続して、携帯電子装置が出力する画像データを車載装置の表示部に表示する場合、通常、表示部の画面の寸法又は解像度に基づいて、携帯電子装置は、出力する画像の寸法又は解像度を変更して、画像データを出力する。
【０００９】
しかし、携帯電子装置により出力される画像に含まれる各図形の配置は、表示部の画面の寸法又は解像度等に基づいて変更はされない。このことを、以下に説明する。
【００１０】
図１は、従来例の携帯電子装置の動作を示す図である。
【００１１】
図１（Ａ）は、携帯電子装置１１０が出力する画像に含まれる各図形の配置が、表示部の画面の寸法又は解像度と対応している例を示す。
【００１２】
携帯電子装置１１０は車載装置１２０ａと通信可能に接続しており、表示部１２３ａには、図１（Ａ）に示すような画像が表示されている。表示部１２３ａは、横長の形状を有する。
【００１３】
車載装置１２０ａの表示部１２３ａには、ユーザが操作するためのボタン１２４ａ及びボタン１２５ａ等が表示されている。表示部１２３ａに表示されるボタン１２４ａ及びボタン１２５ａ等は、ユーザが視認し易く、且つ操作し易いように表示されている。
【００１４】
図１（Ｂ）は、携帯電子装置１１０が出力する画像に含まれる各図形の配置が、表示部の画面の寸法又は解像度と対応していない例を示す。
【００１５】
携帯電子装置１１０は車載装置１２０ｂと通信可能に接続しており、表示部１２３ｂには、図１（Ｂ）に示すような画像が表示されている。表示部１２３ｂは、縦長の形状を有する。
【００１６】
車載装置１２０ｂの表示部１２３ｂには、ユーザが操作するためのボタン１２４ｂ及びボタン１２５ｂ等が表示されている。ボタン１２４ｂ及びボタン１２５ｂ等の配置関係は、図１（Ａ）に示す画像と同じである。
【００１７】
しかし、携帯電子装置１１０が出力する画像に含まれる各図形の配置が、表示部１２３ｂの画面の寸法又は解像度と対応していないので、ユーザが操作するためのボタン１２４ｂ及びボタン１２５ｂ等は、縦長に表示されため、図１（Ａ）と比べて、ユーザに対する視認性及び操作性が低下するおそれがある。
【００１８】
本明細書では、車載装置が有する表示部の表示特性に基づいて、図形要素が表示部に表示される表示形態を決定可能な技術を提供することを課題とする。
【課題を解決するための手段】
【００１９】
本明細書に開示する携帯電子装置によれば、車載装置が有する表示部の表示特性を示す表示特性情報を取得する表示部情報取得部と、上記表示特性情報に基づいて、図形要素が上記表示部に表示される表示形態を決定する表示形態決定部と、上記表示形態に基づいて、上記図形要素を上記表示部に表示させる表示情報を生成する表示情報生成部と、上記表示情報を、車載装置に出力する表示情報出力部と、を備える。
【００２０】
また、本明細書に開示するプログラムによれば、車載装置が有する表示部の表示特性を示す表示特性情報を取得し、上記表示特性情報に基づいて、図形要素が上記表示部に表示される表示形態を決定し、上記表示形態に基づいて、上記図形要素を上記表示部に表示させる表示情報を生成し、上記表示情報を、車載装置に出力する、ことをコンピュータに実行させる。
【００２１】
更に、本明細書に開示する方法によれば、車載装置が有する表示部の表示特性を示す表示特性情報を取得し、上記表示特性情報に基づいて、図形要素が上記表示部に表示される表示形態を決定し、上記表示形態に基づいて、上記図形要素を上記表示部に表示させる表示情報を生成し、上記表示情報を、車載装置に出力する、ことを含む。
【発明の効果】
【００２２】
上述した本明細書に開示する技術によれば、車載装置が有する表示部の表示特性に最適な、図形要素が表示部に表示される表示形態を決定可能である。
【図面の簡単な説明】
【００２３】
【図１】従来例の携帯電子装置の動作を示す図である。
【図２】本実施形態の携帯電子装置が、車両の車載装置と接続された状態を示す図である。
【図３】本実施形態の携帯電子装置及び車両装置のブロック図である。
【図４】本実施形態の携帯電子装置の第１動作例を示す図である。
【図５】図形表示情報表を説明する図である。
【図６】本実施形態の携帯電子装置の第２動作例を示す図である。
【図７】本実施形態の携帯電子装置の第３動作例を示す図である。
【図８】（Ａ）は、本実施形態の携帯電子装置の第４動作例を示す図であり、（Ｂ）は、本実施形態の携帯電子装置の第５動作例を示す図である。
【図９】（Ａ）は、本実施形態の携帯電子装置の第６動作例を示す図であり、（Ｂ）は、本実施形態の携帯電子装置の第７動作例を示す図である。
【発明を実施するための形態】
【００２４】
以下、本明細書で開示する携帯電子装置の好ましい一実施形態を、図を参照して説明する。但し、本発明の技術範囲はそれらの実施形態に限定されず、特許請求の範囲に記載された発明とその均等物に及ぶものである。
【００２５】
図２は、本実施形態の携帯電子装置が、車両の車載装置と接続された状態を示す図である。図３は、本実施形態の携帯電子装置及び車両装置のブロック図である。
【００２６】
車載装置２０は、表示部２３の画像をユーザが視認し易いように車室前方のダッシュボード内に固定して車両に搭載されている。携帯電子装置１０は、接続ケーブル３１を用いて、表示部２３を有する車載装置２０と通信可能に接続される。なお、携帯電子装置１０は、無線ＬＡＮやＢｌｕｅｔｏｏｔｈ（登録商標）などの無線通信を利用して、車載装置２０と通信可能となっていてもよい。
【００２７】
図２の携帯電子装置１０は、接続ケーブル３１を用いて車載装置２０と接続された状態で宙に浮いているように示されているが、実際には車室に備えられたホルダ等に保持されて、脱着自在に車室内に固定されることが好ましい。
【００２８】
図３に示すように、携帯電子装置１０は、制御部１１と、記憶部１２と、カードスロット１３と、通信部１４を備える。
【００２９】
制御部１１は、一つまたは複数のプロセッサと、周辺回路とを有する。制御部１１は、記憶部１２に予め記憶されている所定のプログラムに従い、携帯電子装置１０の各ハードウェア構成要素の制御及び各種処理を行い、処理中に生じるデータを一時的に保存するために記憶部１２を利用する。
【００３０】
記憶部１２は、複数の所定のプログラム１２ａと、地図データ１２ｂと、図形表示情報表１２ｃを記憶する。地図データ１２ｂは、道路のノード又はリンク情報、各種施設の緯度・経度情報又は住所情報を含む道路地図データであり、後述するナビゲーション部１１ｅが使用する地図情報を有する。図形表示情報表１２ｃは、詳しくは後述するが、図形要素が表示部２３に表示される表示形態に関する情報を有する。
【００３１】
記憶部１２は、ランダムアクセスメモリ（ＲＡＭ）若しくはリードオンリーメモリ（ＲＯＭ）等の半導体メモリ、又は磁気ディスク若しくはフラッシュメモリ等の不揮発性メモリを有していてもよい。また、記憶部１２は、所定のプログラムを記憶する記憶媒体を読み出し可能なドライブが接続可能であっても良い。
【００３２】
カードスロット１３は、可搬性の記録媒体であるメモリカード（図示せず）を着脱可能に格納するように構成され、メモリカードに対しデータの読み取りや書き込みを行う。メモリカードには、例えば、音楽データ又は映像データが記憶される。
【００３３】
通信部１４は、車載装置２０との間で、接続ケーブル３１を介して、制御信号、画像データ又は音響データ等の通信を行う。また、通信部１４は、無線通信を介して、インターネット等のネットワークと接続可能であってもよい。なお、通信部１４は、無線通信を利用して、車載装置２０との間で通信を行ってもよい。
【００３４】
また、携帯電子装置１０は、車両に搭載されたＧＰＳ情報受信部３０から、車両の位置を示す位置情報が入力される。ＧＰＳ情報受信部３０は、ＧＰＳ人工衛星が送信するＧＰＳ電波を受信して車両の位置を求め、車両の位置情報を車載装置２０に出力する。
【００３５】
携帯電子装置１０は、例えば、サーバ又はパーソナルコンピュータ等のコンピュータ、若しくはステートマシン等を用いて形成され得る。
【００３６】
上述した制御部１１は、表示部情報取得部１１ａと、表示形態決定部１１ｂと、表示情報生成部１１ｃと、表示情報出力部１１ｄと、ナビゲーション部１１ｅと、再生部１１ｆを有する。制御部１１が有するこれらの各部は、例えば、制御部１１が有するプロセッサ上で動作するコンピュータプログラムにより実現される機能モジュールである。なお、制御部１１は、更に他の機能モジュールを有していてもよい。
【００３７】
ナビゲーション部１１ｅは、所定のプログラム１２ａの実行により地図データ１２ｂを用いて実現される機能モジュールであり、ＧＰＳ情報受信部３０から取得した車両の現在の位置に基づいて、目的地までの経路案内を行うナビゲーション機能を有する。ナビゲーション部１１ｅは、記憶部１２に記憶された地図データ１２ｂと車両の位置とに基づき、車両の周辺の地図を示す地図画像及び音声案内情報を生成する。また、ナビゲーション部１１ｅは、ユーザにより目的地が設定された場合には、現時点の車両の位置から目的地までの経路を導出し、当該経路を地図画像上に重畳する。ナビゲーション部１１ｅが生成した地図画像は、表示情報出力部１１ｄによって、通信部１４を介して車載装置２０へ送信される。
【００３８】
再生部１１ｆは、他の所定のプログラム１２ａの実行により実現される機能モジュールであり、カードスロット１３に格納されたメモリーカードに書き込まれている音楽データ又は映像データ等のコンテンツデータを読み出す。再生部１１ｆによって読み出されたコンテンツデータは、通信部１４を介して車載装置２０へ送信される。
【００３９】
制御部１１が有する表示部情報取得部１１ａと、表示形態決定部１１ｂと、表示情報生成部１１ｃと、表示情報出力部１１ｄについては、後述する携帯電子装置１０の動作において説明する。
【００４０】
次に、車載装置２０について、以下に説明する。
【００４１】
図３に示すように、車載装置２０は、制御部２１と、記憶部２２と、表示部２３と、操作部２４と、ディスクドライブ２５と、通信部２６を備える。
【００４２】
制御部２１は、一つまたは複数のプロセッサと、周辺回路とを有する。制御部２１は、記憶部２２に予め記憶されている所定のプログラム２２ａに従い、車載装置２０の各ハードウェア構成要素の制御及び各種処理を行い、処理中に生じるデータを一時的に保存するために記憶部２２を利用する。
【００４３】
記憶部２２は、ランダムアクセスメモリ（ＲＡＭ）若しくはリードオンリーメモリ（ＲＯＭ）等の半導体メモリ、又は磁気ディスク若しくはフラッシュメモリ等の不揮発性メモリを有していてもよい。また、記憶部２２は、所定のプログラム２２ａを記憶する記憶媒体を読み出し可能なドライブとして、ディスクドライブ２５を用いてもよい。
【００４４】
表示部２３は、制御部２１に制御されて、各種の情報を表示可能である。表示部２３としては、例えば、液晶ディスプレイを用いることができる。
【００４５】
操作部２４は、ユーザにより操作されて、操作情報を入力可能である。車載装置２０は、操作部２４としては、タッチパネル２４ａ及びコマンダ２４ｂを有する（図２参照）。タッチパネル２４ａは、表示部２３の画面の上に配置されており、ユーザがタッチパネル２４ａに触れた場合、ユーザが触れたタッチパネル２４ａ上の座標位置に基づき、制御部２１がユーザの操作内容を判断する。コマンダ２４ｂ（図２参照）も、表示部２３に表示された操作画面に対するユーザの操作を受け付ける。ユーザは、タッチパネル２４ａ又はコマンダ２４ｂを用いて、車載装置２０を操作可能である。
【００４６】
ディスクドライブ２５は、ディスク状の記憶媒体を格納し、制御部２１に制御されて、記憶媒体に書き込まれている音楽データ又は映像データ等のコンテンツを読み出して、読み出したデータを制御部２１に出力する。
【００４７】
通信部２６は、携帯電子装置１０との間で、接続ケーブル３１を介して、制御信号、画像データ又は音響データ等の通信を行う。また、通信部２６は、車両に搭載されている車内のローカルエリアネットワークと接続可能であってもよい。なお、通信部２６は、無線通信を利用して、携帯電子装置１０との間で通信を行ってもよい。
【００４８】
また、制御部２１は、車室内に配置される複数のスピーカ３２を制御して、音響信号を音響として出力する。例えば、複数のスピーカ３２が、車室内の左右及び前後に配置される。
【００４９】
車載装置２０は、例えば、サーバ又はパーソナルコンピュータ等のコンピュータ、若しくはステートマシン等を用いて形成され得る。
【００５０】
上述した制御部２１は、表示制御部２１ａと、音響制御部２１ｂと、再生部２１ｃを有する。制御部１１が有するこれらの各部は、例えば、制御部２１が有するプロセッサ上で動作するコンピュータプログラムにより実現される機能モジュールである。
【００５１】
表示制御部２１ａは、表示部２３を制御して、各種の表示情報を表示させる。表示情報としては、例えば、再生部２１ｃを操作するための操作画像データ、又は再生部２１ｃから出力される画像データ、又は携帯電子装置１０から入力された画像データ等が挙げられる。
【００５２】
音響制御部２１ｂは、スピーカ３２を制御して、各種の音響信号を音響として出力させる。音響信号としては、例えば、再生部２１ｃから出力される音響データに基づく信号、又は携帯電子装置１０から入力された音響データに基づく信号等が挙げられる。
【００５３】
再生部２１ｃは、プログラム２２ａの実行により実現される機能モジュールであり、ディスクドライブ２５に格納されたディスク状の記憶媒体に書き込まれている音楽データ又は映像データ等のコンテンツを読み出す。
【００５４】
次に、本実施形態の携帯電子装置１０の第１動作例を、図４を参照しながら、以下に説明する。
【００５５】
図４は、本実施形態の携帯電子装置の第１動作例を示す図である。
【００５６】
第１動作例では、携帯電子装置１０のナビゲーション部１１ｅがナビゲーション機能を実行しており、地図画像と共にナビゲーションの操作画像を、車載装置２０の表示部２３に表示する。
【００５７】
まず、表示部情報取得部１１ａは、車載装置２０が有する表示部２３の表示特性を示す表示特性情報を取得する。
【００５８】
車載装置２０は、表示部情報取得部１１ａからの表示特性情報を求める要求に応答して、表示特性情報を表示部情報取得部１１ａに送信する。
【００５９】
表示特性情報は、例えば、表示部２３の縦方向の画素数と横方向の画素数を示す画素数情報、又は、表示部２３の縦方向の画素数と横方向の画素数との比率を示す縦横比情報、又は、表示部２３が表示可能な色の数を示す色数情報を含む。表示特性情報は、車載装置２０の記憶部２２に記憶されている。なお、表示特性情報は、表示部２３の表示特性を示す情報であれば特に制限されるものではない。
【００６０】
このように、携帯電子装置１０は、表示部２３の様々な表示特性情報に対応して、図形要素の表示形態を選択可能になされている。
【００６１】
また、車載装置２０は、表示特性情報の代わりに、車載装置を識別する装置識別情報を、表示部情報取得部１１ａに送信してもよい。この場合、携帯電子装置１０は、受信した装置識別情報に基づいて、車載装置２０が有する表示部２３の表示特性を示す表示特性情報を検索して、表示特性情報を取得する。表示特性情報を検索する方法としては、通信部１４を用いて、インターネット等のネットワークを利用してもよい。また、表示特性情報を検索する方法として、車載装置を識別する装置識別情報と、表示部２３の表示特性を示す表示特性情報とが関連付けられている表を、記憶部１２に予め記憶しておき、この表を検索するようにしてもよい。
【００６２】
第１動作例では、表示部情報取得部１１ａは、表示特性情報として、車載装置２０から縦横比情報（３：１）を受信したとする。縦横比情報（３：１）は、表示部２３の縦方向の画素数は横方向の画素数の３倍であり、表示部２３は、図４に示すように、縦長の形状を有することを意味する。
【００６３】
そして、表示部情報取得部１１ａは、受信した表示特性情報を表示形態決定部１１ｂへ出力する。
【００６４】
表示形態決定部１１ｂは、表示特性情報に基づいて、記憶部１２に記憶されている図形表示情報表を参照して、図形要素が表示部に表示される表示形態を決定する。具体的には、表示形態決定部１１ｂは、複数の候補表示形態の内から一の候補表示形態を選択することで表示形態を決定する。表示形態決定部１１ｂは、表示部２３に表示されるフレームごとに、この処理を行う。
【００６５】
図４に示すように、携帯電子装置１０は、車載装置２０の表示部２３に対して、メニューボタン２３ａと、詳細ボタン２３ｂと、広域ボタン２３ｃと、地図の枠２３ｄと、地図の枠２３ｄ内に表示される地図とを表示させる。フレームごとに表示部２３に表示する図形を示す図形要素は、ナビゲーション部１１ｅにより表示形態決定部１１ｂに対して指示される。
【００６６】
図５（Ａ）及び図５（Ｂ）は、表示形態を決定するための図形表示情報表を説明する図である。
【００６７】
図形表示情報表は、複数の候補表示形態を表すものである。具体的には、図形表示情報表は、図形要素と表示形態との関係を、表示特性情報ごとに登録している。表示形態は、図形要素が表示される時の画像内の位置、形状、縦横比、寸法等を含み得る。なお、一部の図形要素が表示部２３に表示されないような、表示形態があってもよい。
【００６８】
図５（Ａ）及び図５（Ｂ）に示すように、図形表示情報表には、縦横比情報が３：１の時と３：４の時に対して、図形要素と、この図形要素と関連付けられている表示形態との関係が登録されている。なお、図形表示情報表には、図形要素に対して、更に多くの表示特性情報に対して、選択可能な表示形態が関連付けられて登録されていてもよい。
【００６９】
表示形態決定部１１ｂは、図形要素である「メニューボタン」の表示形態として、表示特性情報である縦横比情報（３：１）に基づいて、図５（Ａ）に示す図形表示情報表を参照して、「左下」の位置と、「縦長長方形」の形状と、「３：１」の縦横比と、「２」の寸法を選択する。ここで、「２」の寸法は、基準１の寸法に対して２倍の寸法を有することを意味する。
【００７０】
また、表示形態決定部１１ｂは、図形要素である「詳細ボタン」の表示形態として、表示特性情報である縦横比情報（３：１）に基づいて、図５（Ａ）に示す図形表示情報表を参照して、「中央下」の位置と、「縦長長方形」の形状と、「３：１」の縦横比と、「２」の寸法を選択する。
【００７１】
また、表示形態決定部１１ｂは、図形要素である「広域ボタン」の表示形態として、表示特性情報である縦横比情報（３：１）に基づいて、図５（Ａ）に示す図形表示情報表を参照して、「右下」の位置と、「縦長長方形」の形状と、「３：１」の縦横比と、「２」の寸法を選択する。
【００７２】
更に、表示形態決定部１１ｂは、図形要素である「地図の枠」の表示形態として、表示特性情報である縦横比情報（３：１）に基づいて、図５（Ｂ）に示す図形表示情報表を参照して、「枠の中心が、画像の中央より上側に所定の距離離れた位置」を選択する。地図の枠の他の表示形態（形状、縦横比、寸法）についての説明は省略する。
なお、図５（Ｂ）では、表示形態の位置を理解しやすくするために定性的な表現で示しているが、実際には、そのような位置を表す数値データ（例えば、ドット数、座標位置）、あるいは、そのような数値データを呼び出すためのインデックスデータが図形表示情報表に登録される。
【００７３】
そして、表示形態決定部１１ｂは、各図形要素の選択された表示形態を、表示情報生成部１１ｃに出力する。
【００７４】
表示情報生成部１１ｃは、表示形態に基づいて、各図形要素を表示部２３に表示させる表示情報を生成して、グラフィックメモリ１２ｄに書き込む。グラフィックメモリ１２ｄは、記憶部１２の一部である。表示形態決定部１１ｂは、例えば、図形要素である「メニューボタン」の表示情報を、画像内の「左下」の位置、「縦長長方形」の形状、「３：１」の縦横比及び「２」の寸法という表示形態に基づいて生成して、グラフィックメモリ１２ｄの所定の領域の画素に書き込む。
【００７５】
また、表示形態決定部１１ｂは、図形要素である「地図の枠」の表示形態をナビゲーション部１１ｅに出力する。ナビゲーション部１１ｅは、画像において「地図の枠」の内側の領域に地図画像が表示されるように、グラフィックメモリ１２ｄに地図の表示情報を書き込む。
【００７６】
表示情報出力部１１ｄは、グラフィックメモリ１２ｄに書き込まれた各画素のデータを、画像データとして、接続ケーブル３１を介して車載装置２０に送信する。この表示情報出力部１１ｄの処理は、表示部２３に表示されるフレームごとに行われる。また、ナビゲーション部１１ｅは、ナビゲーション時に出力する音声案内用の音響データを、接続ケーブル３１を介して車載装置２０に送信する。
【００７７】
車載装置２０の表示制御部２１ａは、携帯電子装置１０から受信した画像データに基づいて、表示部２３に画像を表示する。また、車載装置２０の音響制御部２１ｂは、携帯電子装置１０から受信した音響データに基づいて、スピーカ３２から音声案内を出力する。なお、音声案内は、運転側のスピーカからのみ出力することが望ましい。このため、携帯電子装置１０は、ステレオ信号の音響データを車載装置２０に送信する場合は、運転席側のチャンネルの信号として音声案内用の音響データを出力する。車載装置２０の再生部２１ｃがステレオ信号の音楽データを再生している場合は、音響制御部２１ｂは、音楽データの信号と音声案内用の信号とを混合した混合信号をスピーカ３２に出力する。その結果、運転席側のスピーカからは音楽と案内音声とが出力され、助手席側のスピーカからは音楽のみが出力される。
【００７８】
ユーザは、車載装置２０の表示部２３に表示された地図画像を確認しながら、目的地までの経路が案内される。また、ユーザは、表示部２３に表示される各種の操作ボタンを、タッチパネル２４ａ又はコマンダ２４ｂを用いて操作することにより、所定のナビゲーション操作を行うことができる。
【００７９】
上述した本実施形態の携帯電子装置１０の第１動作例によれば、車載装置２０が有する表示部２３の表示特性に基づいて、表示部２３に表示する操作ボタンの表示情報を生成できるので、ナビゲーション操作におけるユーザに対する良好な視認性及び操作性が確保される。
【００８０】
次に、本実施形態の携帯電子装置１０の第２動作例を、図６を参照しながら、以下に説明する。
【００８１】
図６は、本実施形態の携帯電子装置の第２動作例を示す図である。第２動作例でも上述した第１動作例と同様に、携帯電子装置１０のナビゲーション部１１ｅがナビゲーション機能を実行している。ただし、車載装置２０が有する表示部２３の表示特性情報である縦横比情報が、上述した第１動作例とは異なっている。
【００８２】
まず、表示部情報取得部１１ａは、車載装置２０が有する表示部２３の表示特性を示す表示特性情報を取得する。
【００８３】
車載装置２０は、表示部情報取得部１１ａからの表示特性情報を求める要求に応答して、表示特性情報を表示部情報取得部１１ａに送信する。
【００８４】
第２動作例では、表示部情報取得部１１ａは、車載装置２０からの表示特性情報として、縦横比情報（３：４）を受信したとする。縦横比情報（３：４）は、表示部２３の横方向の画素数が縦方向の画素数の４／３倍であり、表示部２３は、図６に示すように、横長の形状を有することを意味する。
【００８５】
そして、表示部情報取得部１１ａは、受信した表示特性情報を表示形態決定部１１ｂへ出力する。
【００８６】
表示形態決定部１１ｂは、表示特性情報に基づいて、記憶部１２に記憶されている図形表示情報表を参照して、図形要素が表示部２３に表示される一の表示形態を複数の表示形態の内から選択する。
【００８７】
表示形態決定部１１ｂは、図形要素である「メニューボタン」の表示形態として、表示特性情報である縦横比情報（３：４）に基づいて、図５（Ａ）に示す図形表示情報表を参照して、「右上」の位置と、「横長長方形」の形状と、「２：５」の縦横比と、「１」の寸法を選択する。ここで、「１」の寸法は、基準１の寸法と同じ寸法を意味する。
【００８８】
また、表示形態決定部１１ｂは、図形要素である「詳細ボタン」の表示形態として、表示特性情報である縦横比情報（３：４）に基づいて、図５（Ａ）に示す図形表示情報表を参照して、「右中央」の位置と、「横長長方形」の形状と、「２：５」の縦横比と、「１」の寸法を選択する。
【００８９】
また、表示形態決定部１１ｂは、図形要素である「広域ボタン」の表示形態として、表示特性情報である縦横比情報（３：４）に基づいて、図５（Ａ）に示す図形表示情報表を参照して、「右下」の位置と、「横長長方形」の形状と、「２：５」の縦横比と、「１」の寸法を選択する。
【００９０】
更に、表示形態決定部１１ｂは、図形要素である「地図の枠」の表示形態として、表示特性情報である縦横比情報（３：４）に基づいて、図５（Ｂ）に示す図形表示情報表を参照して、「枠の中心が、画像の中央より左側に所定の距離離れた位置」を選択する。地図の枠の他の表示形態（形状、縦横比、寸法）についての説明は省略する。
【００９１】
そして、表示形態決定部１１ｂは、各図形要素の選択された表示形態を、表示情報生成部１１ｃに出力する。
【００９２】
表示情報生成部１１ｃは、表示形態に基づいて、各図形要素を表示部２３に表示させる表示情報を生成して、グラフィックメモリ１２ｄに書き込む。表示形態決定部１１ｂは、例えば、図形要素である「メニューボタン」の表示情報を、画像内の「右上」、「横長長方形」の形状、「２：５」の縦横比、「１」の寸法という表示形態に基づいて生成して、グラフィックメモリ１２ｄの所定の領域の画素に書き込む。
【００９３】
また、表示形態決定部１１ｂは、図形要素である「地図の枠」の表示形態をナビゲーション部１１ｅに出力する。ナビゲーション部１１ｅは、画像において「地図の枠」の内側の領域に地図画像が表示されるように、グラフィックメモリ１２ｄに地図の表示情報を書き込む。
【００９４】
表示情報出力部１１ｄは、グラフィックメモリ１２ｄに書き込まれた各画素のデータを、画像データとして、接続ケーブル３１を介して車載装置２０に送信する。また、ナビゲーション部１１ｅは、ナビゲーション時に出力する音声案内を生成するための音響データを、接続ケーブル３１を介して車載装置２０に送信する。
【００９５】
車載装置２０の表示制御部２１ａは、携帯電子装置１０から受信した画像データに基づいて、表示部２３に画像を表示する。また、車載装置２０の音響制御部２１ｂは、携帯電子装置１０から受信した音響データに基づいて、スピーカ３２から音声案内を出力する。
【００９６】
上述した本実施形態の携帯電子装置１０の第２動作例によれば、携帯電子装置１０は、車載装置２０の表示部２３が有する表示特性情報に基づいて、各図形要素の表示形態を選択し、選択された表示形態に基づいて生成された表示情報により画像を生成するので、縦横比情報が異なる表示部に対しても、ナビゲーション操作におけるユーザに対する良好な視認性及び操作性が確保される。
【００９７】
次に、本実施形態の携帯電子装置１０の第３動作例を、図７を参照しながら、以下に説明する。
【００９８】
図７は、本実施形態の携帯電子装置の第３動作例を示す図である。第３動作例では、携帯電子装置１０の再生部１１ｆが記憶媒体の再生機能（オーディオ機能）を実行しており、オーディオの操作画像を、車載装置２０の表示部２３に表示する。
【００９９】
まず、表示部情報取得部１１ａが、車載装置２０が有する表示部２３の表示特性情報を取得した後、表示形態決定部１１ｂは、表示特性情報に基づいて、図形要素が表示部２３に表示される一の表示形態を複数の表示形態の内から選択する。
【０１００】
再生部１１ｆは、再生しているアルバム名及びトラックＮｏの情報を、フレームごとに表示部２３に表示する図形を示す図形要素として、表示形態決定部１１ｂに出力する。
【０１０１】
表示形態決定部１１ｂは、図形要素である「メニューボタン」２３ａ、「再生ボタン」２３ｅ、「停止ボタン」２３ｆ、「送りボタン」２３ｇ、「戻しボタン」２３ｈ、「音量ボタン」２３ｉ、「アルバム名」、「トラックＮｏ」、「音量」等の表示形態を、図形表示情報表を参照して選択して、表示情報生成部１１ｃに出力する。
【０１０２】
表示情報生成部１１ｃは、各図形要素の表示情報を、選択された表示形態に基づいて生成して、グラフィックメモリ１２ｄに書き込む。
【０１０３】
表示情報出力部１１ｄは、グラフィックメモリ１２ｄに書き込まれた各画素のデータを、画像データとして、接続ケーブル３１を介して車載装置２０に送信する。また、再生部１１ｆは、再生している音響データを、接続ケーブル３１を介して車載装置２０に送信する。
【０１０４】
車載装置２０の表示制御部２１ａは、携帯電子装置１０から受信した画像データに基づいて、表示部２３に画像を表示する。また、車載装置２０の音響制御部２１ｂは、携帯電子装置１０から受信した音響データに基づいて、スピーカ３２から音楽等の音響を出力する。
【０１０５】
ユーザは、車載装置２０の表示部２３に表示されたオーディオの操作画像を確認しながら、表示部２３に表示される各種の操作ボタンを、タッチパネル２４ａ又はコマンダ２４ｂを用いて操作することにより、所定のオーディオ操作を行うことができる。各操作ボタンを含むオーディオの操作画像は、表示部２３の表示特性情報に基づいて選択された表示形態に基づいて生成されているので、ユーザは、良好な視認性及び操作性を得ることができる。
【０１０６】
次に、本実施形態の携帯電子装置１０の第４動作例を、図８（Ａ）を参照しながら、以下に説明する。
【０１０７】
第４動作例及び次に説明する第５動作例では、携帯電子装置１０の表示部情報取得部１１ａは、車載装置２０に対して、車載装置２０を識別する装置識別情報を、表示特性情報と共に要求して取得する。そして、表示形態決定部１１ｂは、表示特性情報及び装置識別情報に基づいて、図形要素に対する表示形態を選択する。
【０１０８】
第４動作例の携帯電子装置１０のナビゲーション部１１ｅはナビゲーション機能を実行しており、図８（Ａ）に示すように、車載装置２０の表示部２３は、ナビゲーションの操作画像を表示している。
【０１０９】
第４動作例の車載装置２０は、装置の仕様が低級であるので、操作部２４は、タッチパネルを備えておらず、コマンダ２４ｂのみを有している。そのため、ユーザは、車載装置２０の操作を、コマンダ２４ｂを用いて行う。
【０１１０】
携帯電子装置１０は、車載装置２０の操作部２４のタッチパネルの有無等の仕様を、装置識別情報に基づいて判断する。表示部情報取得部１１ａは、装置識別情報を、表示形態決定部１１ｂと共に、ナビゲーション部１１ｅにも出力する。ナビゲーション部１１ｅは、装置識別情報に基づいて、表示部２３に表示させる図形要素を選択して、表示形態決定部１１ｂに出力する。携帯電子装置１０の表示形態決定部１１ｂは、図形要素である各操作ボタンの表示形態を、表示特性情報と共に装置識別情報に基づいて選択する。
【０１１１】
表示部２３に表示されるメニューボタン２３ａと、詳細ボタン２３ｂと、広域ボタン２３ｃは、比較的小さい寸法を有しており、コマンダ２４ｂを用いた操作が行い易いようになされている。これは、コマンダ２４ｂを用いた操作では、操作されるボタンの寸法が大き過ぎると、コマンダ２４ｂにより操作されて表示部２３ｂに表示されるポインタ２３ｌの移動量が大きくなって操作性を損なうおそれがあるためである。また、操作ボタン同士の間隔は、コマンダ２４ｂにより操作されるポインタによって区別して指示可能な程度に離間して配置されている。
【０１１２】
また、地図の枠２３ｄは、表示部２３における各操作ボタンが配置されない領域にわたって大きく配置されており、地図画像を大きくして視認し易いようになされている。
【０１１３】
次に、本実施形態の携帯電子装置１０の第５動作例を、図８（Ｂ）を参照しながら、以下に説明する。
【０１１４】
第５動作例の携帯電子装置１０のナビゲーション部１１ｅはナビゲーション機能を実行しており、図８（Ｂ）に示すように、車載装置２０の表示部２３は、ナビゲーションの操作画像を表示している。
【０１１５】
第５動作例の車載装置２０は、装置の仕様が高級であるので、操作部２４は、タッチパネル２４ａと共に、コマンダ２４ｂを有している。そのため、ユーザは、車載装置２０の操作を、タッチパネル２４ａ及びコマンダ２４ｂを用いて行うことができる。
【０１１６】
携帯電子装置１０は、車載装置２０の操作部２４のタッチパネルの有無等の仕様を、装置識別情報に基づいて判断する。表示部情報取得部１１ａは、装置識別情報を、表示形態決定部１１ｂと共に、ナビゲーション部１１ｅにも出力する。ナビゲーション部１１ｅは、装置識別情報に基づいて、表示部２３に表示させる図形要素を選択して、表示形態決定部１１ｂに出力する。携帯電子装置１０の表示形態決定部１１ｂは、図形要素である各操作ボタンの表示形態を、表示特性情報と共に装置識別情報に基づいて選択する。
【０１１７】
ナビゲーションの操作画像は、グラフィカル・ユーザ・インターフェース（ＧＵＩ）に対応するように作成されているので、ユーザは、主にタッチパネル２４ａを用いて、車載装置２０の操作を行うと考えられる。
【０１１８】
表示部２３に表示されるメニューボタン２３ａと、詳細ボタン２３ｂと、広域ボタン２３ｃは、比較的大きな寸法を有しており、タッチパネル２４ａを用いた操作が行い易いようになされている。これは、タッチパネル２４ａを用いた操作では、操作されるボタンの寸法が小さ過ぎると、ユーザが指先でタッチパネル２４ａに触れた時に、隣のボタンとの押し間違うおそれがあるためである。また、操作ボタン同士の間隔は、隣のボタンとの押し間違えをしない程度に離間して配置されている。
【０１１９】
上述した第４動作例及び第５動作例に示すように、携帯電子装置１０は、車載装置２０の仕様に対応して、図形要素の表示形態を選択可能であるので、同じ携帯電子装置を用いて、各種の仕様の車載装置２０に対応した動作が可能となる。また、携帯電子装置１０は、車載装置２０の操作部２４以外の他の機能の仕様に対応して、図形要素の表示形態を選択可能にしてもよい。
【０１２０】
次に、本実施形態の携帯電子装置１０の第６動作例を、図９（Ａ）を参照しながら、以下に説明する。
【０１２１】
第６動作例及び次に説明する第７動作例では、携帯電子装置１０の表示部情報取得部１１ａは、車載装置２０に対して、車載装置２０が搭載されている車両を識別する車両識別情報を、表示特性情報と共に要求して取得する。車載装置２０は、例えば、車両に配置されるローカルエリアネットワークを介して、車両に配置される制御装置等から車両識別情報を取得し得る。そして、携帯電子装置１０の表示形態決定部１１ｂは、表示特性情報及び車両識別情報に基づいて、図形要素に対する表示形態を選択する。
【０１２２】
第６動作例の携帯電子装置１０の再生部１１ｆはオーディオ機能を実行しており、図９（Ａ）に示すように、車載装置２０の表示部２３は、オーディオの操作画像を表示している。
【０１２３】
第６動作例では、車載装置２０が搭載される車両の仕様が低級であるので、車室内に配置されるスピーカ３２の数は、車室の前方の左右に配置される２つと、車室の後方の左右に配置される２つの計４つである。
【０１２４】
表示部情報取得部１１ａは、車両識別情報を、表示形態決定部１１ｂと共に、再生部１１ｆにも出力する。再生部１１ｆは、車両識別情報に基づいて、表示部２３に表示させる図形要素を選択して、表示形態決定部１１ｂに出力する。携帯電子装置１０の表示形態決定部１１ｂは、再生部１１ｆから入力した図形要素である各操作ボタンの表示形態を、表示特性情報と共に車両識別情報に基づいて選択する。
【０１２５】
表示部２３には、車室の前後に配置される４つのスピーカの音量を操作する音量ボタン２３ｉと、左右の音量のバランスを調整する左右バランスボタン２３ｊが表示されている。
【０１２６】
ユーザは、音量ボタン２３ｉを操作することにより、スピーカから出力される音量を調整すると共に、左右バランスボタン２３ｊを操作することにより、左右の音量のバランスを調整することができる。
【０１２７】
次に、本実施形態の携帯電子装置１０の第７動作例を、図９（Ｂ）を参照しながら、以下に説明する。
【０１２８】
第７動作例の携帯電子装置１０の再生部１１ｆはオーディオ機能を実行しており、図９（Ｂ）に示すように、車載装置２０の表示部２３は、オーディオの操作画像を表示している。
【０１２９】
第７動作例では、車載装置２０が搭載される車両の仕様が高級であるので、車室内に配置されるスピーカ３２の数は、車室の前方の左右に配置される２つと、車室の後方の左右に配置される２つと、車室の中央の左右に配置される２つの計６つである。
【０１３０】
表示部２３には、車室の前後に配置される６つのスピーカの音量を操作する「音量ボタン」２３ｉと、左右の音量のバランスを調整する「左右バランスボタン」２３ｊと、前後の音量のバランスを調整する「前後バランスボタン」２３ｋが表示されている。
【０１３１】
表示形態決定部１１ｂは、「メニューボタン」２３ａを配置する位置を、第６動作例における画像の左下の位置から右上の位置に変更することにより、音響に関する３つの操作ボタンを並べて配置するように、各図形要素の表示位置を選択している。
【０１３２】
ユーザは、「音量ボタン」２３ｉを操作することにより、スピーカから出力される音量を調整し、「左右バランスボタン」２３ｊを操作することにより、左右の音量のバランスを調整すると共に、「前後バランスボタン」２３ｋを操作することにより、前後の音量のバランスを調整することができる。
【０１３３】
上述した第６動作例及び第７動作例に示すように、携帯電子装置１０は、車載装置２０が搭載される車両の仕様に対応して、図形要素の表示形態を選択可能であるので、同じ携帯電子装置を用いて、各種の仕様の車両に対応した動作を行うことができる。また、携帯電子装置１０は、車両のスピーカ２以外の他の機能の仕様に対応して、図形要素の表示形態を選択可能にしてもよい。
【０１３４】
また、上述した第１動作例から第７動作例に示すように、携帯電子装置１０は、表示特性情報と共に、装置識別情報又は車両識別情報に対応して、表示部２３に表示する図形要素の種類、及び図形要素の表示形態を選択可能なので、多種の車載装置又は車両において同じ携帯電子装置１０を使用できる。そのため、車載装置又は車両ごとに携帯電子装置を開発しなくて済むので、開発コストの低減を図ることができる。
【０１３５】
本発明では、上述した実施形態の携帯電子装置、プログラム又は方法は、本発明の趣旨を逸脱しない限り適宜変更が可能である。
【０１３６】
例えば、表示部２３の縦横比情報が同じでも画素数が異なることに対応するように、表示特性情報として、表示部２３の縦方向の画素数と横方向の画素数を示す画素数情報を用いることができる。例えば、表示部２３の画素数構成がＱＶＧＡ（３２０×２４０）である場合と、ＶＧＡ（６４０×４８０）である場合には、両者共に縦横比は４：３となる。しかしながら、ＶＧＡの方が細かい情報を表示可能なので、比較的小さい文字を潰さないように表示できる。そこで、ＶＧＡでは、比較的小さい文字を含む比較的小さな複数の操作ボタンを、互いに間隔を開けて表示するように、図形要素の表示形態を選択可能に設定してもよい。
【０１３７】
また、表示特性情報として、表示部２３が表示可能な色の数を示す色数情報を用いる場合には、黒色と白色のモノクロ表示に対応するように、図形要素の表示形態を選択可能に設定してもよい。
また、上記では、表示形態決定部１１ｂは、複数の候補表示形態の内から一の候補表示形態を選択することで表示形態を決定していたが、他の手法で表示形態を決定してもよい。例えば、表示形態決定手段が、表示特性情報をパラメータとして、所定の演算を行うことで各図形要素の大きさや位置等の表示形態を決定してもよい。また、表示形態決定手段が、表示特性情報に応じて表示形態を決定するための演算手法を変更してもよい。
【符号の説明】
【０１３８】
１０    携帯電子装置
１１    制御部
１１ａ    表示部情報取得部
１１ｂ    表示形態決定部
１１ｃ    表示情報生成部
１１ｄ    表示情報出力部
１１ｅ    ナビゲーション部
１１ｆ    再生部
１２    記憶部
１２ａ    プログラム
１２ｂ    地図データ
１２ｃ    図形表示情報表
１２ｄ    グラフィックメモリ
１３    カードスロット
１４    通信部
２０    車載装置
２１    制御部
２１ａ    表示制御部
２１ｂ    音響制御部
２１ｃ    再生部
２２    記憶部
２２ａ    プログラム
２３    表示部
２３ａ    メニューボタン
２３ｂ    詳細ボタン
２３ｃ    広域ボタン
２３ｄ    地図の枠
２３ｅ    再生ボタン
２３ｆ    停止ボタン
２３ｇ    送りボタン
２３ｈ    戻しボタン
２３ｉ    音量ボタン
２３ｊ    左右バランスボタン
２３ｋ    前後バランスボタン
２３ｌ    ポインタ
２４    操作部
２４ａ    タッチパネル
２４ｂ    コマンダ
２５    ディスクドライブ
２６    通信部
３０    ＧＰＳ情報受信部
３１    接続ケーブル
３２    スピーカ
１１０    携帯電子装置
１２０    車載装置
１２３ａ、１２３ｂ    表示部
【図１】
2017207715.tif 000003
【図２】
2017207715.tif 000004
【図３】
2017207715.tif 000005
【図４】
2017207715.tif 000006
【図５】
2017207715.tif 000007
【図６】
2017207715.tif 000008
【図７】
2017207715.tif 000009
【図８】
2017207715.tif 000010
【図９】
2017207715.tif 000011